(57)【特許請求の範囲】
【請求項１】
着用者からの排泄物を受ける使い捨ておむつであって、
前方カバー部、股下カバー部および後方カバー部を有し、前記前方カバー部および前記後方カバー部の一方のカバー部の両側部の内面と、他方のカバー部の両側部の外面とが着用者の腰周りにて互いに止着されることにより前記着用者に装着されるアウターカバーと、
前記アウターカバーの内面上において前記前方カバー部から前記股下カバー部を経由して前記後方カバー部へと伸びるとともに前記着用者からの排泄物を受け、一方の端部が前記一方のカバー部の内面に固着され、他方の端部が自由端部として前記他方のカバー部の内面と非固着とされ、装着時に前記他方の端部の外面と前記他方のカバー部の前記内面とが止着されるインナーパッドと、
を備え、
前記インナーパッドが前記股下カバー部に固着されることを特徴とする使い捨ておむつ。
【請求項２】
請求項１に記載の使い捨ておむつであって、
前記インナーパッドの前記他方の端部の前記外面が、前記他方のカバー部の前記内面と着脱自在であることを特徴とする使い捨ておむつ。
【請求項３】
請求項１または２に記載の使い捨ておむつであって、
前記インナーパッドが、両側部上において起立する側壁部を有することを特徴とする使い捨ておむつ。
【請求項４】
請求項１ないし３のいずれかに記載の使い捨ておむつであって、
前記インナーパッドの前記他方の端部の先端が、前記他方のカバー部の前記内面上に位置することを特徴とする使い捨ておむつ。
【請求項５】
請求項１ないし４のいずれかに記載の使い捨ておむつであって、
前記インナーパッドの前記他方の端部の前記外面において、前記他方の端部の先端から離れた位置にパッド止着部材が設けられることを特徴とする使い捨ておむつ。
【発明の詳細な説明】
【技術分野】
【０００１】
本発明は、着用者からの排泄物を受ける使い捨ておむつに関する。
【背景技術】
【０００２】
従来より、着用者からの排泄物を受ける使い捨ておむつの１つとして、着用者の前側に接する前方部と後側に接する後方部とを腰回りで止着して装着するオープンタイプの使い捨ておむつが使用されている。また、着用者の股間部に当接するインナーパッドと、インナーパッドを内部に収容しつつ着用者に装着されるアウターカバーとを備える使い捨ておむつも提案されており、特許文献１では、このような使い捨ておむつにおいて、インナーパッドの一端をアウターカバーの後胴周り域（後方カバー部）の内面に固着し、インナーパッドの他端（前方端部）において、アウターカバーの前胴周り域（前方カバー部）の外面に着脱可能に止着する止着手段を設けることにより、着用者の股間部に対するインナーパッドの密着状態を確保する手法が開示されている。
【先行技術文献】
【特許文献】
【０００３】
【特許文献１】特開２００３−８８５４７号公報
【発明の概要】
【発明が解決しようとする課題】
【０００４】
ところで、仰臥位の着用者に特許文献１の使い捨ておむつを装着する際には、アウターカバーの後方カバー部を着用者の胴周りにおける後側の部位の下方に配置した状態でインナーパッドを着用者の股間部に密着させ、続いて、アウターカバーの前方カバー部をインナーパッドに被せることが行われる。そして、インナーパッドの股間部への密着状態を調整しつつインナーパッドの前方端部を前方カバー部の外面に止着するとともに、後方カバー部の両側部（テープファスナ）を前方カバー部の外面に止着して、使い捨ておむつが着用者に装着される。したがって、特許文献１の使い捨ておむつの装着の際には、後方カバー部の両側部を前方カバー部の外面に止着する動作と、インナーパッドの自由端部である前方端部を前方カバー部の外面に止着する動作とを行う必要が生じ、使い捨ておむつを着用者に装着する作業が煩雑となってしまう。
【０００５】
本発明は上記課題に鑑みなされたものであり、インナーパッドの自由端部をアウターカバーに容易に止着して、着用者に容易に装着することが可能な使い捨ておむつを提供することを目的としている。
【課題を解決するための手段】
【０００６】
請求項１に記載の発明は、着用者からの排泄物を受ける使い捨ておむつであって、前方カバー部、股下カバー部および後方カバー部を有し、前記前方カバー部および前記後方カバー部の一方のカバー部の両側部の内面と、他方のカバー部の両側部の外面とが着用者の腰周りにて互いに止着されることにより前記着用者に装着されるアウターカバーと、前記アウターカバーの内面上において前記前方カバー部から前記股下カバー部を経由して前記後方カバー部へと伸びるとともに前記着用者からの排泄物を受け、一方の端部が前記一方のカバー部の内面に固着され、他方の端部が自由端部として前記他方のカバー部の内面と非固着とされ、装着時に前記他方の端部の外面と前記他方のカバー部の前記内面とが止着されるインナーパッドとを備え、前記インナーパッドが前記股下カバー部に固着される。
【０００７】
請求項２に記載の発明は、請求項１に記載の使い捨ておむつであって、前記インナーパッドの前記他方の端部の前記外面が、前記他方のカバー部の前記内面と着脱自在である。
【０００９】
請求項３に記載の発明は、請求項１または２に記載の使い捨ておむつであって、前記インナーパッドが、両側部上において起立する側壁部を有する。
【００１０】
請求項４に記載の発明は、請求項１ないし３のいずれかに記載の使い捨ておむつであって、前記インナーパッドの前記他方の端部の先端が、前記他方のカバー部の前記内面上に位置する。
【００１１】
請求項５に記載の発明は、請求項１ないし４のいずれかに記載の使い捨ておむつであって、前記インナーパッドの前記他方の端部の前記外面において、前記他方の端部の先端から離れた位置にパッド止着部材が設けられる。
【発明の効果】
【００１２】
本発明によれば、インナーパッドの自由端部をアウターカバーに容易に止着することができ、使い捨ておむつを着用者に容易に装着することができる。また、インナーパッドを着用者の股間部に堅固に密着させることができる。
【００１３】
また、請求項２の発明では、着用者に対するインナーパッドの配置を再調整することができ、請求項５の発明では、インナーパッドの自由端部のアウターカバーへの止着をさらに容易に行うことができる。
【図面の簡単な説明】
【００１４】
【図１】使い捨ておむつの平面図である。
【図２】使い捨ておむつの断面図である。
【図３】使い捨ておむつの断面図である。
【図４】使い捨ておむつの断面図である。
【発明を実施するための形態】
【００１５】
図１は、本発明の一の実施の形態に係るオープンタイプの使い捨ておむつ１を示す図であり、使い捨ておむつ１を広げた状態にて、着用時に着用者側を向く面を示している。また、図２ないし図４は、それぞれ図１中の矢印Ａ−Ａの位置、矢印Ｂ−Ｂの位置および矢印Ｃ−Ｃの位置における使い捨ておむつ１の断面図である。
【００１６】
図１に示す使い捨ておむつ１は、着用者からの排泄物を受ける吸収性物品であり、着用者の前側に接する部位２１（以下、「前方カバー部２１」という。）と後側に接する部位２３（以下、「後方カバー部２３」という。）とを腰回りで止着することにより、着用者に装着される略シート状のアウターカバー２を有する。アウターカバー２において前方カバー部２１と後方カバー部２３との間には、着用者の股間部に対向する（実際には、後述のインナーパッド３を挟んで対向する）股下カバー部２２が設けられ、股下カバー部２２の幅（すなわち、図１中の横方向の幅）は、前方カバー部２１および後方カバー部２３の幅よりも小さい。以下の説明では、前方カバー部２１、股下カバー部２２および後方カバー部２３が並ぶ図１中の縦方向を長手方向と呼び、長手方向に垂直な図１中の横方向を幅方向と呼ぶ。
【００１７】
後方カバー部２３において、幅方向の両側には１対の止着シート部２３１がそれぞれ設けられ、各止着シート部２３１はポリプロピレン、ポリエチレン、ポリエステル、ポリアミド等の合成繊維、あるいは、パルプや絹等の天然繊維により形成された不織布にて形成される。止着シート部２３１の先端には、長手方向に並ぶ２つの山型のつまみ部２３２が形成されており、つまみ部２３２の内面（すなわち、２つの主面のうち着用者に着用された状態において着用者側を向く面）にはフック部材２３３が設けられる。フック部材２３３は、鉤状や錨状、マッシュルーム状等の微細な多数のフック要素を有する微細フック構造が、一方の面に形成された面ファスナであり、他方の面がつまみ部２３２に接合される（後述のフック部材３５１において同様）。
【００１８】
実際には、未使用の使い捨ておむつ１では、図１の左側の止着シート部２３１に示すように、つまみ部２３２が折り返された状態で、フック部材２３３が止着シート部２３１の他の領域上に仮係合されている。そして、使い捨ておむつ１を使用する際に、各止着シート部２３１において、つまみ部２３２の先端等が使用者により摘まれてつまみ部２３２が引っ張られることにより、フック部材２３３が止着シート部２３１から引き剥がされ（すなわち、フック部材２３３の仮係合が解除され）、図１の右側の止着シート部２３１に示すように、つまみ部２３２が伸ばされた状態とされる。
【００１９】
図１および図３に示すように、前方カバー部２１の外面（すなわち、着用者に着用された状態において外側を向く面）には、幅方向に長い矩形のフロンタルテープ２４が設けられる。フロンタルテープ２４は、一方の面に微細な多数のループ要素を有する微細ループ構造が形成された不織布や織布、編み物等、あるいは、これらの材料とプラスチックフィルムとが積層された複合材料であり、他方の面が前方カバー部２１に接合されている（後述のシート部材２１１において同様）。本実施の形態では、合成繊維により形成された微細ループ構造を有する編み物とプラスチックフィルムとが積層された複合材料が、フロンタルテープ２４として利用される。
【００２０】
後述するように、使い捨ておむつ１の着用者への装着時には、１対の止着シート部２３１のフック部材２３３がフロンタルテープ２４の幅方向の両端部近傍に止着される。換言すると、後方カバー部２３の両側部（すなわち、幅方向の両端部）となる１対の止着シート部２３１の内面と、前方カバー部２１の両側部の外面とが着用者の腰周りにて互いに止着されることにより、アウターカバー２が着用者に装着される。使い捨ておむつ１では、止着シート部２３１が不織布により形成されているため、着用者の腰回りにおける通気性が向上し、使い捨ておむつ１の快適性が向上される。
【００２１】
図２ないし図４に示すように、実際のアウターカバー２は、同じ形状の２枚のシート２５，２６を重ね合わせ、ホットメルト接着剤にて接着することにより形成されており、１対の止着シート部２３１は、内側シート２５と外側シート２６とに挟まれてホットメルト接着剤を介して接合される。ホットメルト接着剤としては、ポリオレフィン系、ゴム系、酢酸ビニル系等のものが利用される。なお、止着シート部２３１と内側シート２５および外側シート２６との接合は、ヒートシールや超音波接合等により行われてもよい。
【００２２】
外側シート２６は、撥水性または不透液性のプラスチックフィルムの外側（後述のインナーパッド３とは反対側）に不織布が積層された積層シートであり、水分が外側シート２６の外側（すなわち、使い捨ておむつ１の外側）にしみ出すことを防止する。着用者の快適性の観点からは、プラスチックフィルムとして通気性を有するものが利用されることが好ましい。外側シート２６に利用される不織布は、例えば、スパンボンド不織布やメルトブロー不織布、ＳＭＳ（スパンボンド・メルトブロー・スパンボンド）不織布であり、必要に応じて撥水処理が施されてもよい。なお、外側シート２６としては、撥水性または不透液性の不織布やプラスチックフィルムが単体にて利用されてもよい。なお、内側シート２５の材料については後述する。
【００２３】
図１および図２に示すように、股下カバー部２２の両側部（外縁近傍の部位）のそれぞれには、長手方向に伸びる２本の弾性部材２７１（図１および図２では、１本の弾性部材のみに符号を付している。後述の弾性部材２７２において同様。）が、内側シート２５と外側シート２６とに挟まれて接合される。弾性部材２７１は、使い捨ておむつ１が広げられた状態では伸張状態となっており、弾性部材２７１が収縮することにより、内側シート２５および外側シート２６が着用者側かつ内側に向かって立ち上がってレッグギャザーが形成され、使い捨ておむつ１の着用時に着用者の足の付け根近傍に密着する。
【００２４】
また、図１および図４に示すように、アウターカバー２の長手方向の両端部のそれぞれには、内側シート２５と外側シート２６とに挟まれる３本の弾性部材２７２が設けられ、伸張状態にて内側シート２５および外側シート２６に接合された弾性部材２７２が収縮することによりウエストギャザーが形成され、使い捨ておむつ１の着用時に着用者の腰回りに密着する。使い捨ておむつ１では、弾性部材２７１，２７２により使い捨ておむつ１が着用者に密着することにより、脚周りおよび腰周りからの尿等の漏出が防止される。
【００２５】
弾性部材２７１，２７２としては、例えば、ポリウレタン糸、帯状のポリウレタンフィルム、糸状または帯状の天然ゴム等が用いられ、ホットメルト接着剤、超音波接合、ヒートシール等により内側シート２５および外側シート２６に接合される。好ましくは、繊度１００〜２５００デシテックスのポリウレタン糸が弾性部材２７１，２７２として用いられ、１．１〜５．０倍に伸張された状態でゴム系のホットメルト接着剤により内側シート２５および外側シート２６に接合される（後述の弾性部材３４２において同様）。
【００２６】
図１および図４に示すように、アウターカバー２の内面（すなわち、内側シート２５の内面）上には、前方カバー部２１から股下カバー部２２を経由して後方カバー部２３へと伸びるとともに着用者からの排泄物を受けるインナーパッド３が設けられる。インナーパッド３は、略シート状の吸収体である吸収コア３２、吸収コア３２の着用者側の主面を覆うトップシート３１、吸収コア３２のもう一方の主面（すなわち、２つの主面のうち着用者から遠い面）を覆うバックシート３３、および、長手方向におけるトップシート３１のほぼ全長に亘ってトップシート３１の幅方向の両側に配置される一対のサイドシート３４を備える。
【００２７】
トップシート３１は透液性の材料、例えば、親水性繊維により形成された不織布であり、着用者からの排泄物の水分を速やかに捕捉して吸収コア３２へと移動させる。トップシート３１として利用される不織布は、例えば、ポイントボンド不織布やエアスルー不織布、スパンボンド不織布であり、これらの不織布を形成する親水性繊維としては通常、セルロースやレーヨン、コットン等が用いられる。なお、トップシート３１として、表面を界面活性剤により親水処理した疎水性繊維（例えば、ポリプロピレン、ポリエチレン、ポリエステル、ポリアミド、ナイロン）にて形成された透液性の不織布が利用されてもよく、また、開孔を有するプラスチックフィルムが利用されてもよい。
【００２８】
吸収コア３２は、親水性繊維（例えば、粉砕したパルプ繊維やセルロース繊維）に粒状の吸水性ポリマー（例えば、ＳＡＰ(Super Absorbent Polymer)）を混合したものをティッシュペーパーや透液性不織布等の被覆シートにより包み込んで形成され、トップシート３１を透過した水分を吸収して迅速に固定する。親水性繊維を包む被覆シートは、親水性繊維および吸水性ポリマーとホットメルト接着剤により接合されて、親水性繊維の型崩れ、および、吸水性ポリマーの脱落（特に、吸水後における脱落）を防止する。
【００２９】
本実施の形態では、アウターカバー２の内側シート２５は、上記トップシート３１にて例示した透液性の材料にて形成され、バックシート３３は、上記アウターカバー２の外側シート２６にて例示した撥水性または不透液性の材料にて形成される。また、サイドシート３４も、撥水性または不透液性の不織布（例えば、スパンボンド不織布やメルトブロー不織布、ＳＭＳ不織布）やプラスチックフィルム、あるいは、これらの複合材料により形成される。既述のように、アウターカバー２の外側シート２６では、撥水性または不透液性が確保されているため、バックシート３３およびサイドシート３４を、このような機能を有していない不織布にて形成することも可能である。
【００３０】
図２に示す吸収コア３２は、バックシート３３の着用者側の面に塗布されたホットメルト接着剤を介してバックシート３３に接着されており、サイドシート３４は、吸収コア３２の両側部近傍においてホットメルト接着剤を介してバックシート３３およびトップシート３１に接着されている。長手方向に長い略矩形のトップシート３１は、長手方向に関して吸収コア３２の両端部の外側にてホットメルト接着剤を介してバックシート３３に接着される（図４参照）。また、図３に示すように、インナーパッド３の長手方向の両端部では、各サイドシート３４の幅方向の内側の部位（すなわち、１対のサイドシート３４の互いに近接する部位）もホットメルト接着剤を介してトップシート３１の着用者側の面に接合される。なお、サイドシート３４とトップシート３１との接合は、ヒートシールや超音波接合等により行われてもよい。
【００３１】
図１および図２に示す各サイドシート３４の幅方向の内側の部位では、長手方向の両端部の間の部位３４１が、トップシート３１（および他の部材）とは非接合とされており、当該部位３４１（以下、「非接合部３４１」という。）の幅方向の内縁部には、長手方向に伸びる弾性部材３４２が接合される。弾性部材３４２は、使い捨ておむつ１が広げられた状態では伸張状態となっており、弾性部材３４２が収縮することにより、図２に示すように、サイドシート３４の非接合部３４１が、インナーパッド３の両側部上にて着用者側に向かって起立し、着用者の脚の付け根近傍に当接する側壁部（いわゆる、立体ギャザー）となる。使い捨ておむつ１の快適性向上の観点からは、立体ギャザーを形成するサイドシート３４は、通気性を有することが好ましい。
【００３２】
図４に示すように、インナーパッド３において後方カバー部２３に対向する一方の端部３７（以下、「後方端部３７」という。）、および、股下カバー部２２に対向する中央部３６は、後方カバー部２３および股下カバー部２２の内面（すなわち、内側シート２５の内面）にホットメルト接着剤により固着され、前方カバー部２１に対向する他方の端部３５（以下、「前方端部３５」という。）は、自由端部として前方カバー部２１の内面と非固着とされる。図４では、太線にて固定部である接着剤の層４１を図示している。また、図３および図４に示すように、インナーパッド３の幅方向の中央近傍において、前方端部３５の外面にはフック部材３５１が設けられ、前方カバー部２１の内面には、長手方向および幅方向の長さがフック部材３５１よりも大きいシート部材２１１が設けられる。フック部材３５１とシート部材２１１とは係合可能となっており、インナーパッド３の前方端部３５の外面が、前方カバー部２１の内面と着脱自在とされる。
【００３３】
次に、着用者に使い捨ておむつ１を装着する手順について述べる。ここでは、着用者が仰臥位（側臥位であってもよい。）にてベッド上に横たわっているものとする。使い捨ておむつ１の着用者への装着の際には、アウターカバー２の後方カバー部２３を着用者の胴周りにおける後側の部位とベッドとの間に挟ませた後、インナーパッド３の自由端部（前方端部３５）を掴んでインナーパッド３を着用者の股間部に密着させる作業が行われる。続いて、インナーパッド３を股間部に密着させた状態で、アウターカバー２の前方カバー部２１がインナーパッド３の前方端部３５上に被せられる。このとき、既述のように前方端部３５の外面、および、前方カバー部２１の内面には、フック部材３５１およびシート部材２１１がそれぞれ設けられているため、前方カバー部２１をインナーパッド３の前方端部３５上に被せることにより、フック部材３５１とシート部材２１１とが止着され、インナーパッド３の自由端部のアウターカバー２に対する固定が完了する。そして、後方カバー部２３の両側部に設けられた止着シート部２３１のフック部材２３３を前方カバー部２１の外面上のフロンタルテープ２４に止着することにより、使い捨ておむつ１が着用者に装着される。
【００３４】
以上に説明したように、図４の使い捨ておむつ１では、インナーパッド３の後方端部３７が後方カバー部２３の内面に固着され、前方端部３５が自由端部として前方カバー部２１の内面と非固着とされ、前方端部３５の外面と前方カバー部２１の内面とが止着可能とされる。これにより、装着時に仰臥位の着用者（の股間部）に合わせてインナーパッド３を配置した後に、アウターカバー２の前方カバー部２１をインナーパッド３の前方端部３５に被せることのみにより、インナーパッド３の自由端部をアウターカバー２に容易に止着することができ、使い捨ておむつ１を着用者に容易に装着することができる。また、使い捨ておむつ１では、インナーパッド３の両側部において、側壁部として設けられるサイドシート３４の非接合部３４１を股間部の適切な位置（すなわち、陰部を挟む位置）に容易に配置することができるため、位置ずれにより側壁部の防漏機能が失われることを防止することができる。
【００３５】
ところで、特開２００３−８８５４７号公報（特許文献１）に記載の使い捨ておむつでは、インナーパッドの前方端部と、後方カバー部の両側部（テープファスナ）とが、前方カバー部の外面に止着されるため、当該外面上において両者を止着すべき位置が重なった場合に、一方の部材の止着が、他方の部材により阻害される場合がある。これに対し、図４の使い捨ておむつ１では、インナーパッド３の前方端部３５と、後方カバー部２３の両側部との止着面が相違するため、このような問題が生じることはない。
【００３６】
また、使い捨ておむつ１では、インナーパッド３の前方端部３５の外面において、前方端部３５の先端から離れた位置にパッド止着部材であるフック部材３５１が設けられることにより、着用者への装着時に、作業者がパッド止着部材と干渉することなく、前方端部３５の先端を掴むことが可能となる。このように、作業者がインナーパッド３の前方端部３５を掴むための部位を先端近傍に確保することにより、インナーパッド３の自由端部のアウターカバー２への止着をさらに容易に行うことができる。
【００３７】
さらに、インナーパッド３の前方端部３５の外面が、前方カバー部２１の内面と着脱自在であることにより、使い捨ておむつ１の着用者への装着時に、仮にインナーパッド３が不適切な位置に配置された場合でも、インナーパッド３の前方端部３５を前方カバー部２１から取り外し、着用者に対するインナーパッド３の配置を再調整して、前方端部３５を前方カバー部２１に再度止着することができる。
【００３８】
上記形態は、様々な変形が可能である。
【００３９】
使い捨ておむつ１は、もちろん、側臥位や腹臥位の着用者に対して用いられてもよく、この場合に、両側部に止着シート部が設けられるとともに、内面にてインナーパッドの一方の端部と固着される一方のカバー部が着用者の前側に当接し、インナーパッドの他方の端部と非固着とされるとともに、止着シート部が外面に止着される他方のカバー部が着用者の後側に当接してもよい。このように、使い捨ておむつのアウターカバーでは、着用者の前側に接する前方カバー部、および、後側に接する後方カバー部の一方のカバー部の両側部の内面と、他方のカバー部の両側部の外面とが着用者の腰周りにて互いに止着されることにより着用者への装着が可能とされる。
【００４０】
図４の使い捨ておむつ１では、インナーパッド３が股下カバー部２２にも固着されることにより、着用者の股間部においてアウターカバー２と共にインナーパッド３を着用者に押し当てて、インナーパッド３を着用者の股間部に堅固に密着させることが可能となるが、使い捨ておむつの設計によっては、インナーパッド３において、前方端部３５（自由端部）に加えて中央部３６がアウターカバー２に非固着とされ、インナーパッド３の配置の自由度が向上されてもよい。
【００４１】
上記実施の形態では、インナーパッド３の前方端部３５の外面、および、前方カバー部２１の内面にフック部材３５１およびシート部材２１１がそれぞれ設けられるが、内側シート２５が不織布にて形成される場合には、シート部材２１１を省略して、使い捨ておむつの製造コストを削減することも可能である。この場合でも、フック部材３５１は前方カバー部２１の内面に係合可能であり、前方端部３５の外面と前方カバー部２１の内面とが着脱自在となる。また、前方カバー部２１の内面にフック部材を設け、前方端部３５の外面にシート部材を設ける、または、前方端部３５の外面を不織布の面としてシート部材を省略することも可能である。さらに、前方端部３５の外面および前方カバー部２１の内面の一方に粘着シールが設けられ、他方にプラスチック等のフィルムが設けられることにより、前方端部３５の外面と前方カバー部２１の内面とが着脱自在とされてもよい。もちろん、使い捨ておむつの設計によっては、粘着シールを用いる場合に使い捨ておむつの製造コストを削減するために、他方の部材にてフィルムを省略し、前方端部３５の外面と前方カバー部２１の内面との着脱の（多数回の）繰り返しが不能とされてもよい。
【００４２】
使い捨ておむつ１の着用時における外観を通常の使い捨ておむつと同様とするという観点では、図１のように、インナーパッド３の前方端部３５の先端が、前方カバー部２１の内面上に位置することが好ましいが、装着時に前方端部３５の外面と前方カバー部２１の内面とを止着することが可能であるならば、長手方向に関してインナーパッド３がアウターカバー２よりも長くされ、前方端部３５の先端が前方カバー部２１の外側に僅かにはみ出るように、使い捨ておむつが設計されてもよい。
【００４３】
使い捨ておむつ１では、アウターカバー２の前方カバー部２１において、外面が止着シート部２３１のフック部材２３３と十分な係合力にて係合可能とされるのであれば、フロンタルテープ２４は省略されてもよい。
【符号の説明】
【００４４】
１    使い捨ておむつ
２    アウターカバー
３    インナーパッド
２１    前方カバー部
２２    股下カバー部
２３    後方カバー部
３５    前方端部
３７    後方端部
２３１    止着シート部
３４１    非接合部
３５１    フック部材
【図１】
0005461909.tif 000002
【図２】
0005461909.tif 000003
【図３】
0005461909.tif 000004
【図４】
0005461909.tif 000005